(57)【特許請求の範囲】
【請求項１】
密封外蓋と、誘引捕獲中蓋と、捕獲収納容器と、誘引捕獲液と、で構成される蚊の誘引捕獲装置であって、
前記密封外蓋は、上面外周縁から鉛直下方に延伸する側壁の内面に前記誘引捕獲中蓋の上端縁部に嵌着または螺着可能な装着手段を設けて成り、
前記誘引捕獲中蓋は、上端縁部に前記密封外蓋が嵌着または螺着可能な装着手段を設けると共に、中央部には開口部が下方に向かって徐々に縮径し、さらに下方に垂直に延出する誘引筒部を形成するロート状の誘引捕獲開口部を形成すると共に、外筒部の内面に前記捕獲収納容器の上端縁部に嵌着または螺着可能な装着手段を設けて成り、
前記捕獲収納容器は、上方が開口する透明若しくは半透明なガラスまたは合成樹脂材で形成される筒状容器の上端縁部に前記誘引捕獲中蓋が嵌着または螺着可能な装着手段を設けて成り、
前記誘引捕獲液は、酵母と砂糖と軟水とを所定の調合比率割合で混合し、前記捕獲収納容器内に収容されて成ることを特徴とする蚊の誘引捕獲装置。
【請求項２】
前記捕獲収納容器の下面に、前記誘引捕獲液を排出する排出口を設けると共に、該排出口の出口には開閉操作を可能にする開閉栓を設けて成ることを特徴とする請求項１に記載の蚊を主とする害虫の誘引捕獲装置。
【請求項３】
前記密封外蓋の上面に、前記誘引捕獲開口部に連通するスライド式または嵌め込み式の誘引開口部を設けて成ることを特徴とする請求項１または請求項２に記載の蚊を主とする害虫の誘引捕獲装置。
【請求項４】
前記捕獲収納容器の下端縁部に、前記密封外蓋が嵌着または螺着可能な装着手段を設けて成ることを特徴とする請求項１または請求項２に記載の蚊を主とする害虫の誘引捕獲装置。
【請求項５】
前記誘引捕獲液における酵母と砂糖と軟水の調合比率割合が、重量比で１：０．８〜１．２：１５０〜２５０の範囲内であることを特徴とする請求項１から請求項４のいずれか記載の蚊の誘引捕獲装置。
【請求項６】
前記酵母が、イースト菌であることを特徴とする請求項１から請求項５のいずれか記載の蚊を主とする害虫の誘引捕獲装置。
【発明の詳細な説明】
【技術分野】
【０００１】
本発明は、害虫の駆除ならびに生きたままの生体捕獲が可能な蚊を主とする害虫の誘引捕獲装置に関する。
【背景技術】
【０００２】
従来から行われている蚊の一般的な駆除ならび退治方法としては、殺虫剤の散布による薬物散布処理や、蚊の成虫の産卵場所となる水たまりを除去することなどによって行われてきた。しかしながら、蚊の発生を根本的に一掃する方法は、駆除装置の設置に手間取るばかりではなく駆除効率が非効率であり、特に薬剤散布による駆除方法は、自然環境と人体に悪影響を及ぼすことを避ける傾向にあることから、近年においては粘着紙、網、酵母、光、暖気、炭酸ガス、オクテノール、水蒸気、乳酸などを利用して蚊を安全且つ効率的な方法によって捕獲する手段が採られている。
【０００３】
その具体的な捕獲手段の提案としては、例えば、回収された蚊を外部へ廃棄可能な「蚊の誘引捕獲装置」（特許文献１）が提案され、公知技術となっている。
具体的には、ケースと、このケースに収納される蚊を誘引する誘引部と、この誘引部によって誘引した前記蚊を前記ケース内に吸引する吸引部と、前記ケースに臨み前記吸引部によって吸引された前記蚊を回収可能な回収部と、により構成される蚊の誘引捕獲装置であって、前記回収部は、前記ケースに対して、スライド可能に取り付けられている提案である。
【０００４】
しかしながら、かかる「蚊の誘引捕獲装置」の提案は、構造的に複雑で、設置ならびに回収に手間取ると共に、ウィルスの感染経路の特定や蚊のＤＮＡ鑑定を行うことによって早期の退治策を講じるべく生きたままの生体捕獲手段が採れないといった問題があった。
【０００５】
また、蚊用餌を発生させると共に、ヒトの表面温度および匂いに似たものを発生させるための装置および方法を提供する「蚊を誘引するための微生物媒介方法及びその装置」（特許文献２）が提案され、公知技術となっている。
具体的には、屋内外で使用可能な蚊捕捉用携帯用蚊制御システムであり、複数のチャンネルを含み、該チャンネルが蚊を導入、捕捉させるため内側に開口するようにした上部仕切り室と；底部仕切り室と；該上部仕切り室と底部仕切り室とを接続するための蝶ネジ式容器であって、少なくとも上部蝶ネジと、下部蝶ネジと、該上部蝶ネジと、下部蝶ネジとの間に設けられたグリッドとを具備してなるものと；第１のボトルを保持する第１の固定具であって、該第１のボトルが少なくとも第１の蚊用餌を収容し、該第１の蚊用餌が少なくとも酵母発酵物を含むものと；第２のボトルを保持する第２の固定具であって、該第２のボトルが少なくとも第２の蚊用餌を収容し、該第２の蚊用餌が少なくとも微生物培養物を含むものと；該微生物培養物および酵母発酵物のため熱を発生させるための制御可能な加熱手段と；該第１の蚊用餌および第２の蚊用餌の解放を助けるための餌解放ユニットであってスプレーノズルと、ポンプとを有するものと；を具備してなるシステムである。
【０００６】
しかしながら、かかる「蚊を誘引するための微生物媒介方法及びその装置」の提案は、特許文献１と同様に構造的に複雑で、設置ならびに回収に手間取ると共に、ウィルスの感染経路の特定や蚊のＤＮＡ鑑定を行うことによって早期の退治策を講じるべく生きたままの生体捕獲手段が採れないといった問題があった。
【０００７】
さらに、哺乳動物の血液を餌とする虫を捕獲するためのデバイスおよび方法に関する「虫捕獲器」（特許文献３）が提案され、公知技術となっている。
具体的には、哺乳動物の血液を餌にする虫に対する、該虫に対する化学的誘引物を備えた捕獲デバイスにおいて、該デバイス中に、加熱暗色パネルからなる物理的誘引物を、該パネルに誘引された蚊を効果的に捕獲する捕獲装置を伴って備えることを包含する方法に改良を加えた提案である。
【０００８】
しかしながら、かかる「虫捕獲器」の提案は、その構造として、暗色パネルを加熱することによって物理的誘引剤を発生させる手段をとっているため、電気的供給手段を備える構造であることから、重量的かつ構造的に複雑であると共に、稼働時間に制限が求められるといった問題があった。
【０００９】
本出願人は、以上のような従来から提案されている蚊の捕獲装置の解決することができなかった捕獲誘引剤の成分構成と、捕獲装置の複雑構造に着目し、簡易的且つ廉価な手段によって害虫を効率よく駆除すると同時に生きたままの生体捕獲ができないものかという着想の下、害虫の駆除ならびに生きたままの生体捕獲が同時にできる蚊を主とする害虫の誘引捕獲装置を開発し、本発明における「蚊を主とする害虫の誘引捕獲装置」の提案に至るものである。
【先行技術文献】
【特許文献】
【００１０】
【特許文献１】特開２０１５−１８１４３０号公報
【特許文献２】特開２００３−１６４２４６号公報
【特許文献３】特表２００１−５２３４７６号公報
【発明の概要】
【発明が解決しようとする課題】
【００１１】
本発明は、上記問題点を鑑み、害虫の駆除ならびに生きたままの生体捕獲が同時にできる蚊を主とする害虫の誘引捕獲装置を提供することを課題とする。
【課題を解決するための手段】
【００１２】
上記課題を解決するため、本発明は、密封外蓋と、誘引捕獲中蓋と、捕獲収納容器と、誘引捕獲液と、で構成される蚊の誘引捕獲装置であって、密封外蓋は、上面外周縁から鉛直下方に延伸する側壁の内面に誘引捕獲中蓋の上端縁部に嵌着または螺着可能な装着手段を設けて成り、誘引捕獲中蓋は、上端縁部に密封外蓋が嵌着または螺着可能な装着手段を設けると共に、中央部には開口部が下方に向かって徐々に縮径し、さらに下方に垂直に延出する誘引筒部を形成するロート状の誘引捕獲開口部を形成すると共に、外筒部の内面に捕獲収納容器の上端縁部に嵌着または螺着可能な装着手段を設けて成り、捕獲収納容器は、上方が開口する透明若しくは半透明なガラスまたは合成樹脂材で形成される筒状容器の上端縁部に誘引捕獲中蓋が嵌着または螺着可能な装着手段を設けて成り、誘引捕獲液は、酵母と砂糖と軟水とを所定の調合比率割合で混合し、捕獲収納容器内に収容されて成る構成となっている。
【００１３】
また、本発明は、前記捕獲収納容器の下面に、前記誘引捕獲液を排出する排出口を設けると共に、該排出口の出口には開閉操作を可能にする開閉栓を設けた構成を採用し得る。
【００１４】
さらに、本発明は、前記密封外蓋の上面に、前記誘引捕獲開口部に連通するスライド式または嵌め込み式の誘引開口部を設けた構成とすることもできる。
【００１５】
またさらに、本発明は、前記捕獲収納容器の下端縁部に、前記密封外蓋が嵌着または螺着可能な装着手段を設けた構成とすることもできる。
【００１６】
さらにまた、本発明は、前記誘引捕獲液における酵母と砂糖と軟水の調合比率割合が、重量比で１：０．８〜１．２：１５０〜２５０の範囲内である構成を採用し得る。
【００１７】
そしてまた、本発明は、前記酵母が、イースト菌である構成とすることができる。
【発明の効果】
【００１８】
本発明にかかる蚊を主とする害虫の誘引捕獲装置によれば、害虫の駆除ならびに生きたままの生体捕獲が同時にできると共に、誘引捕獲液が自然環境と人体に悪影響がない酵母を使用して安全性と捕獲効率の両方が確保できる、といった優れた効果を奏する。
【００１９】
また、本発明にかかる蚊を主とする害虫の誘引捕獲装置によれば、誘引捕獲液が、比較的安価で手に入り易いイースト菌と砂糖と水を使用していることから、安全性と経済性と利便性が同時に確保できる、といった優れた効果を奏する。
【００２０】
さらに、本発明にかかる蚊を主とする害虫の誘引捕獲装置によれば、生きたままの生体捕獲ができることによって、テング熱やジカ熱、マラリアなどにおけるウィルスの感染経路の特定や、害虫のＤＮＡ鑑定が早期に確認できる、といった優れた効果を奏する。
【００２１】
またさらに、本発明にかかる蚊を主とする害虫の誘引捕獲装置によれば、装置自体が簡易構造であることから、安価に製造できると共に、持ち運びが容易であることから、害虫の大量発生場所に複数設置することによって害虫の発生率を極めて早期に抑制できる、といった優れた効果を奏する。
【図面の簡単な説明】
【００２２】
【図１】本発明にかかる蚊を主とする害虫の誘引捕獲装置の第一の実施形態を示す説明図である。（実施例１）
【図２】本発明にかかる蚊を主とする害虫の誘引捕獲装置の使用状態を示す断面説明図である。
【図３】本発明にかかる蚊を主とする害虫の誘引捕獲装置の第二の実施形態を示す説明図である。（実施例２）
【図４】本発明にかかる蚊を主とする害虫の誘引捕獲装置の使用状態を示す断面説明図である。
【図５】本発明にかかる蚊を主とする害虫の誘引捕獲装置の第三の実施形態を示す説明図である。（実施例３）
【発明を実施するための形態】
【００２３】
本発明にかかる蚊を主とする害虫の誘引捕獲装置１０は、密封外蓋２０と、誘引捕獲中蓋３０と、捕獲収納容器４０と、誘引捕獲液５０と、で構成され、蚊Ｋを主とする害虫の駆除ならびに生きたままの生体捕獲が同時にできることを最大の特徴とする。
以下、本発明にかかる蚊を主とする害虫の誘引捕獲装置１０の実施形態を、図面に基づいて説明する。
【００２４】
尚、本発明の蚊を主とする害虫の誘引捕獲装置１０は、以下に述べる実施例に限定されるものではなく、本発明の技術的思想の範囲内、すなわち同一の作用効果を発揮できる形状や寸法等の範囲内で、適宜変更することができる。
【実施例１】
【００２５】
図１は、本発明にかかる蚊を主とする害虫の誘引捕獲装置１０の第一の実施形態を示す説明図であり、（ａ）は分解斜視図、（ｂ）は断面図である。
本実施形態にかかる蚊を主とする害虫の誘引捕獲装置１０は、密封外蓋２０と、誘引捕獲中蓋３０と、捕獲収納容器４０と、誘引捕獲液５０と、で構成されている。
【００２６】
前記密封外蓋２０は、上面外周縁から鉛直下方に延伸する側壁の内面に、誘引捕獲中蓋３０の上端縁部に嵌着または螺着可能な装着手段２１を設けて形成されている。
【００２７】
前記誘引捕獲中蓋３０は、上端縁部に前記密封外蓋２０が嵌着または螺着可能な装着手段３１を設けると共に、中央部には開口部３２ａが下方に向かって徐々に縮径し、さらに下方に垂直に延出する誘引筒部３２ｂを形成するロート状の誘引捕獲開口部３２が形成されると共に、外筒部の内面に捕獲収納容器４０の上端縁部に嵌着または螺着可能な装着手段３１が設けられている。
【００２８】
前記捕獲収納容器４０は、上方が開口した筒状容器であって、透明若しくは半透明なガラスまたは合成樹脂材で形成され、筒状容器の上端縁部には、前記誘引捕獲中蓋３０を嵌着または螺着可能な装着手段４１が設けられている。尚、透明若しくは半透明なガラスまたは合成樹脂材で形成する理由は、容器内に日光を通すことによって、後述する誘引捕獲液５０の醗酵を促す効果があることによる。
【００２９】
前記捕獲収納容器４０について、その下端縁部に、図示されているように、前記密封外蓋２０が嵌着または螺着可能な装着手段４１を設けて形成する態様が考え得る。かかる態様を採ることで、使用に際し取り外した前記密封外蓋２０を装着手段２１，４１を介して捕獲収納容器４０の下端縁部に嵌着または螺着しておくことで、別の場所に保管する必要がなく紛失の心配がなくなる。
【００３０】
誘引捕獲液５０は、酵母と砂糖と水とを所定の調合比率割合で混合したもので、捕獲収納容器４０内に収容されている。酵母は、その発酵作用により蚊を誘引する二酸化炭素を発生させる基となるものであって、安価且つ身近に入手可能なイースト菌が好適であるが、イースト菌のほかに酵母エキスを用いることも可能である。砂糖は、酵母のエサとなるものであって、発酵を促進させるものである。水は、これら酵母と砂糖の溶媒として用いるもので、天然水と水道水とを問わないが、酵母の吸水と発酵を促すためには、ミネラル分の少ない軟水が用いられる。
【００３１】
前記誘引捕獲液５０における酵母と砂糖と軟水の調合比率割合については、重量比で１：０．８〜１．２：１５０〜２５０の範囲内であって、より好ましくは１：１：２００である。具体的な数値（重量）については、捕獲収納容器４０の大きさ（許容量）や酵母の種類によって変更されるものであるが、例えば酵母としてイースト菌粉末を３ｇ使用する場合、砂糖は３ｇ、軟水が４５０〜７５０ｃｃ（６００ｃｃが好適）となる。
【００３２】
以上の通り構成される本実施形態にかかる蚊を主とする害虫の誘引捕獲装置１０について、次に、その使用態様について説明する。図２は、本実施形態にかかる蚊を主とする害虫の誘引捕獲装置の使用状態を示す説明図であり、（ａ）は設置状態を示す斜視図、（ｂ）は誘引捕獲状態を示す断面説明図である。以下、蚊Ｋを例にとって、その具体的な誘引捕獲状況を手順に沿って説明する。
【００３３】
《誘引捕獲手順》
（１）密封外蓋２０を外し、捕獲収納容器４０の下端縁部に嵌着または螺着した状態で、日光の当たる場所に設置する。
（２）日光により捕獲収納容器４０内の誘引捕獲液５０が暖められることで、酵母の発酵が促進されて二酸化炭素が発生し、その二酸化炭素が誘引捕獲中蓋３０の誘引筒部３２ｂ及び開口部３２ａを介して外へ放出される。
（３）放出された二酸化炭素に誘引されて、空中に飛遊している蚊Ｋが誘引捕獲中蓋３０の誘引捕獲開口部３２付近に飛来する。
（４）誘引捕獲開口部３２付近に飛来した蚊Ｋは、二酸化炭素の放出源へ向け、徐々に縮径している開口部３２ａに沿って下降し、さらに誘引筒部３２ｂを下降・通過して捕獲収納容器４０内に到達する。これにより、蚊Ｋは捕獲収納容器４０内で捕獲された状態となる。
（５）蚊Ｋは真上に上昇できない体質から、捕獲収納容器４０内の蚊Ｋは誘引筒部３２ｂを上方へ通り抜けることができない。したがって、一部は寿命尽きて息絶えるものもあるが、捕獲収納容器４０内において生きた状態で蚊Ｋを捕獲することが可能となる。
【００３４】
尚、上記手順（１）において、蚊を主とする害虫の誘引捕獲装置１０を日光の当たる場所に設置する旨述べたが、照明装置や保温・加温装置を用いることで、日光の代替手段とすることができる。かかる代替手段を採ることで、日光の出ていない雨や曇りの日、および夜間であっても本装置を使用することが可能となる。
【００３５】
以上のように、本実施形態にかかる蚊を主とする害虫の誘引捕獲装置１０によれば、害虫（蚊Ｋ）の駆除ならびに生きたままの生体捕獲が同時にできると共に、誘引捕獲液５０が自然環境と人体に悪影響がない酵母（イースト菌）を使用して安全性と捕獲効率の両方を確保可能な蚊を主とする害虫の誘引捕獲装置１０を提供することができる。
【実施例２】
【００３６】
図３は、本発明にかかる蚊を主とする害虫の誘引捕獲装置１０の第二の実施形態を示す説明図であり、（ａ）は分解斜視図、（ｂ）は断面図である。
本実施形態にかかる蚊を主とする害虫の誘引捕獲装置１０において、上記第一の実施形態（実施例１）と異なる構成態様は、前記捕獲収納容器４０の下面所定箇所に、前記誘引捕獲液５０を排出するための排出口４２を設けたことであり、その他の構成態様は上記第一の実施形態（実施例１）と同様であるため、説明は省略する。
【００３７】
前記排出口４２は、捕獲収納容器４０の下面所定箇所に設けられるもので、該排出口４２の出口には開閉操作を可能にする開閉栓４３を設けて形成される。
開閉栓４３は、使用時においては閉塞し、回収時においては開放することができる構造を有して形成される。
【００３８】
該排出口４２は、使用済みの誘引捕獲液５０を捕獲収納容器４０内から排出するためのもので、誘引捕獲液５０を溶液内に沈んだ害虫（蚊Ｋ）の死骸とともに排出して、捕獲収納容器４０内にて生きたままの害虫（蚊Ｋ）を回収することができる構造としたものである。尚、生体捕獲を必要としないときは、捕獲収納容器４０を揺すって生きた状態の害虫（蚊Ｋ）を誘引捕獲液５０内に取り込んで死滅させ、排出口４２から害虫（蚊Ｋ）の死骸と誘引捕獲液５０を同時に排出することもできる。
【００３９】
以上の通り構成される本実施形態にかかる蚊を主とする害虫の誘引捕獲装置１０について、次に、その使用態様について説明する。図４は、本実施形態にかかる蚊を主とする害虫の誘引捕獲装置の使用状態を示す説明図であり、（ａ）及び（ｂ）は誘引捕獲状態を示す断面説明図、（ｃ）は捕獲完了状態を示す断面説明図、（ｄ）は使用済み誘引捕獲液５０を廃棄した状態を示す断面説明図である。以下、蚊Ｋを例にとって、その具体的な誘引捕獲状況を手順に沿って説明する。
【００４０】
《誘引捕獲手順》
（１）密封外蓋２０を外し、捕獲収納容器４０の下端縁部に嵌着または螺着した状態で、日光の当たる場所に設置する。
（２）日光により捕獲収納容器４０内の誘引捕獲液５０が暖められることで、酵母の発酵が促進されて二酸化炭素が発生し、その二酸化炭素が誘引捕獲中蓋３０の誘引筒部３２ｂ及び開口部３２ａを介して外へ放出される。
（３）放出された二酸化炭素に誘引されて、空中に飛遊している蚊Ｋが誘引捕獲中蓋３０の誘引捕獲開口部３２付近に飛来する。
（４）誘引捕獲開口部３２付近に飛来した蚊Ｋは、二酸化炭素の放出源へ向け、徐々に縮径している開口部３２ａに沿って下降し、さらに誘引筒部３２ｂを下降・通過して捕獲収納容器４０内に到達する。これにより、蚊Ｋは捕獲収納容器４０内で捕獲された状態となる。
（５）蚊Ｋは真上に上昇できない体質から、捕獲収納容器４０内の蚊Ｋは誘引筒部３２ｂを上方へ通り抜けることができない。したがって、一部は寿命尽きて息絶えるものもあるが、捕獲収納容器４０内において生きた状態で蚊Ｋを捕獲することが可能となる。
（６）最後に、開閉栓４３を開放して、捕獲収納容器４０の排出口４２から使用済みの誘引捕獲液５０を蚊Ｋの死骸とともに排出し、終了後に開閉栓４３を閉塞する。
【００４１】
尚、上記手順（１）において、蚊を主とする害虫の誘引捕獲装置１０を日光の当たる場所に設置する旨述べたが、照明装置や保温・加温装置を用いることで、日光の代替手段とすることができる。かかる代替手段を採ることで、日光の出ていない雨や曇りの日、および夜間であっても本装置を使用することが可能となる。
【００４２】
以上のように、本実施形態にかかる蚊を主とする害虫の誘引捕獲装置１０によれば、害虫（蚊Ｋ）の駆除ならびに生きたままの生体捕獲が同時にできると共に、捕獲収納容器４０内の使用済み誘引捕獲液５０を害虫（蚊Ｋ）の死骸とともに排出することが可能な蚊を主とする害虫の誘引捕獲装置１０を提供することができる。
【実施例３】
【００４３】
図５は、本発明にかかる蚊を主とする害虫の誘引捕獲装置１０の第三の実施形態を示す説明図である。
本実施形態にかかる蚊を主とする害虫の誘引捕獲装置１０において、上記第一及び第二の実施形態（実施例１，２）と異なる構成態様は、前記密封外蓋２０の上面所定箇所に、前記誘引捕獲開口部３２に連通するスライド式または嵌め込み式の誘引開口部２３を設けたことであり、その他の構成態様は上記第一及び第二の実施形態（実施例１，２）と同様であるため、説明は省略する。
【００４４】
前記誘引開口部２３は、スライド式または嵌め込み式の密封開閉蓋によって形成されるもので、密封開閉蓋をスライド式または嵌め込み式にすることによって、蚊を主とする害虫の誘引捕獲装置１０の移動ならびに設置作業が容易にできる構造となる。すなわち、蚊を主とする害虫の誘引捕獲装置１０を設置するに際し、密封外蓋２０を装着状態のまま外さずに誘引開口部２３を開放すれば足り、移動や捕獲終了時には、逆に誘引開口部２３を閉塞すれば足りることとなる。
【００４５】
以上のように、本実施形態にかかる蚊を主とする害虫の誘引捕獲装置１０によれば、移動ならびに設置作業が容易となる蚊を主とする害虫の誘引捕獲装置１０を提供することができる。
【産業上の利用可能性】
【００４６】
本発明は、蚊Ｋの駆除ならびに生きたままの生体捕獲が同時にできると共に、誘引捕獲液５０が自然環境と人体に悪影響がない酵母を使用して安全性と捕獲効率の両方を確保することが可能である。また、捕獲可能な害虫は、蚊Ｋだけでなく、ハエ類（コバエ、ショウジョウバエ、ミカンバエ等）やハチ類（スズメバチ等）も捕獲することが可能であって、本発明にかかる「蚊の誘引捕獲装置」の産業上の利用可能性は極めて大であるものと思料する。
【符号の説明】
【００４７】
１０    蚊を主とする害虫の誘引捕獲装置
２０    密封外蓋
２１    装着手段
２２    誘引開口部
２３    誘引開口部
３０    誘引捕獲中蓋
３１    装着手段
３２    誘引捕獲開口部
３２ａ  開口部
３２ｂ  誘引筒部
４０    捕獲収納容器
４１    装着手段
４２    排出口
４３    開閉栓
５０    誘引捕獲液
Ｋ    蚊
【図１】
0006405333.tif 000002
【図２】
0006405333.tif 000003
【図３】
0006405333.tif 000004
【図４】
0006405333.tif 000005
【図５】
0006405333.tif 000006